(57)【要約】【課題】吸着剤の再生を効率よく行うことができると共に小型化を図り易い除湿乾燥機を得ること。【解決手段】除湿乾燥機８０Ａを構成するにあたり、少なくとも１つの室内空気吸込口、少なくとも１つの空気吹出口、および排気口５ａが設けられたハウジング部２０内に送風機２５を配置すると共に、除湿用の吸着剤を担持した第１加熱器３０を室内空気吸込口と空気吹出口との間に配置し、さらには、送風機がハウジング部内に吸い込んだ空気の風路を除湿用のメイン風路、送風機での流路をメイン風路と共有する室内空気循環用のバイパス風路ＦＰ2、および送風機での流路をメイン風路と共有する排気風路のいずれの風路にも規定することができる風路切換部、ならびに該風路切換部の動作を制御する制御部７０Ａを設ける。【選択図】        図５
2010261668.tif 000002
【特許請求の範囲】
【請求項１】
室内の空気を吸い込むための少なくとも１つの室内空気吸込口、吸い込んだ空気を前記室内に吹き出すための少なくとも１つの空気吹出口、および吸い込んだ空気を室外に排気するための排気口が設けられたハウジング部と、
前記ハウジング部内に配置され、少なくとも１つの室内空気吸込口から前記ハウジング部内に空気を吸い込んで前記空気吹出口および前記排気口の少なくとも一方から吹き出させる送風機と、
前記ハウジング部内での前記室内空気吸込口と前記空気吹出口との間に配置された第１加熱器と、
該第１加熱器に担持された除湿用の吸着剤と、
前記送風機が前記ハウジング部内に吸い込んだ空気の風路を、前記第１加熱器を経由して空気吹出口から室内に吹き出すメイン風路、前記送風機での流路を前記メイン風路と共有し、前記第１加熱器は経由せずに空気吹出口から室内に吹き出すバイパス風路、および前記送風機での流路を前記メイン風路と共有し、前記第１加熱器を経由して前記排気口から室外に吹き出す排気風路のいずれの風路にも規定することができる風路切換部と、
前記送風機、前記第１加熱器、および前記風路切換部の動作を制御する制御部と、
を備え、
前記制御部は、
前記室内を除湿するときには、前記風路切換部に前記メイン風路を形成させて前記送風機を動作させ、
前記吸着剤から水分を脱着させて該吸着剤を再生させるときには、前記風路切換部に前記バイパス風路を形成させて前記第１加熱器および前記送風機を動作させ、
前記吸着剤の再生により該吸着剤から脱着した水分を含んだ多湿空気を排気するときには、前記風路切換部に前記排気風路を形成させて前記送風機を動作させる、
ことを特徴とする除湿乾燥機。
【請求項２】
前記ハウジングには、前記メイン風路および前記バイパス風路の各々での室内空気吸込口となる１つの室内空気吸込口と、前記メイン風路での空気吹出口となる空気吹出口と、前記バイパス風路での空気吹出口となる空気吹出口とが設けられていることを特徴とする請求項１に記載の除湿乾燥機。
【請求項３】
前記風路切換部は、
前記空気吹出口を開閉する吹出口開閉部と、
前記排気口を開閉する排気口開閉部とを含む、
ことを特徴とする請求項１または２に記載の除湿乾燥機。
【請求項４】
前記吹出口開閉部は電動式のルーバであり、
前記制御部は、前記ルーバの動作を制御して該ルーバの開度を調整することで、空気吹出口からの空気の吹出し方向を制御する、
ことを特徴とする請求項３に記載の除湿乾燥機。
【請求項５】
前記ルーバは、少なくとも１枚の第１羽板と少なくとも１枚の第２羽板とを有し、平面視したときに前記第１羽板と前記第２羽板とが互いに交差することを特徴とする請求項４に記載の除湿乾燥機。
【請求項６】
前記ハウジング部内に配置され、前記メイン風路と前記バイパス風路とを互いに連通させる連通口が形成された隔壁部により前記メイン風路と前記バイパス風路とを仕切る風路仕切部を更に備え、
前記風路切換部は、前記風路仕切部の連通口を開閉する連通口開閉部を含む、
ことを特徴とする請求項１〜５のいずれか１つに記載の除湿乾燥機。
【請求項７】
前記制御部の制御の下に前記風路切換部に少なくとも前記メイン風路を形成させると共に前記送風機と前記第１加熱器とを動作させることで、前記第１加熱器で生じた熱を室内に投入して該室内の暖房または乾燥を行うことができることを特徴とする請求項１〜６のいずれか１つに記載の除湿乾燥機。
【請求項８】
前記バイパス風路での前記室内空気吸込口と前記空気吹出口との間に配置された第２加熱器を更に有し、
前記制御部は、前記送風機、前記第１加熱器、および前記風路切換部に加えて前記第２加熱器の動作を制御する、
ことを特徴とする請求項１〜７のいずれか１つに記載の除湿乾燥機。
【請求項９】
前記制御部の制御の下に前記風路切換部に少なくとも前記バイパス風路を形成させると共に前記送風機と前記第２加熱器とを動作させることで、前記第２加熱器で生じた熱を室内に投入して該室内の暖房または乾燥を行うことができることを特徴とする請求項８に記載の除湿乾燥機。
【請求項１０】
前記制御部は、前記室内の除湿のための制御と、前記吸着剤の再生および前記多湿空気の排気のための制御とを交互に行うことを特徴とする請求項１〜９のいずれか１つに記載の除湿乾燥機。
【請求項１１】
前記吸着剤はシリカゲルまたはゼオライトであることを特徴とする請求項１〜１０のいずれか１つに記載の除湿乾燥機。
【請求項１２】
前記第１加熱器の上方に、前記多湿空気が滞留可能な空間が形成されていることを特徴とする請求項１〜１１のいずれか１つに記載の除湿乾燥機。
【請求項１３】
前記第１加熱器の温度を検知する温度センサを更に備え、
前記制御部は、前記温度センサの検知温度に応じて前記第１加熱器への投入電力量を制御する、
ことを特徴とする請求項１〜１２のいずれか１つに記載の除湿乾燥機。
【請求項１４】
前記第１加熱器はＰＴＣヒータであることを特徴とする請求項１〜１３のいずれか１つに記載の除湿乾燥機。
【請求項１５】
前記室内の空気の状態を検知するセンシング部を更に備え、
前記制御部は、前記室内を除湿するときの前記送風機の動作内容と、前記吸着剤を再生させるときの前記送風機および前記第１加熱器の動作内容との少なくとも一方を前記センシング部の検知結果に応じて選定し、該選定した動作内容に従って前記送風機および前記第１加熱器の動作を制御する、
ことを特徴とする請求項１〜１４のいずれか１つに記載の除湿乾燥機。
【請求項１６】
前記センシング部は、湿度センサおよび温度センサの少なくとも一方であることを特徴とする請求項１５に記載の除湿乾燥機。
【請求項１７】
前記ハウジング部には、前記多湿空気を他室に供給するための多湿空気吹出口が更に設けられ、
前記風路切換部は、前記メイン風路と前記多湿空気吹出口とを互いに連通した状態と互いに分離した状態とに切り換えることができる多湿空気用風路開閉部を更に含み、
前記制御部は、前記多湿空気を排気するときに前記排気口開閉部および前記多湿空気用風路開閉部の動作を制御して、前記多湿空気を前記排気口および前記多湿空気吹出口の少なくとも一方に流入させる、
ことを特徴とする請求項１〜１６のいずれか１つに記載の除湿乾燥機。
【請求項１８】
前記多湿空気用風路開閉部は、前記排気口を開閉する排気口開閉部としての機能を兼ね備えていることを特徴とする請求項１７に記載の除湿乾燥機。
【発明の詳細な説明】
【技術分野】
【０００１】
この発明は、室内の空気の除湿、乾燥を行う除湿乾燥機に関する。
【背景技術】
【０００２】
従来より、吸着剤を用いた除湿乾燥機が提案されている。例えば特許文献１には、ゼオライトやシリカゲル等の吸着剤（吸湿性材料）を担持したセラミックペーパを用いて構成された除湿ロータを備えると共に、浴室内の空気を吸い込んで除湿ロータ経由で浴室内に戻す循環風路と、浴室内の空気を吸い込んで再生ヒータおよび除湿ロータ経由で浴室外に排出する再生風路とを備えた除湿乾燥機（除湿機能付浴室暖房乾燥機）が記載されている。この除湿乾燥機では、循環風路および再生風路の各々を横断するようにして除湿ロータが配置されているので、浴室内の空気を上記の循環風路に流すことによる浴室内の除湿と、再生風路に吸い込まれた空気を再生ヒータにより加熱してから除湿ロータに送ることによる吸着剤の再生とを一時に行うことができる。
【０００３】
また、特許文献２には、吸着剤を担持した２つの熱交換器を用いて冷媒回路を構成すると共に該冷媒回路での冷媒の循環方向を反転可能に構成し、冷媒の循環方向を反転させることで上記２つの熱交換器の各々を交互に蒸発器、凝縮器として機能させ、蒸発器側で室内の除湿が行われ、凝縮器側で室外空気への水分の移動が行われるように空気の流通経路を切り換える除湿乾燥機（調湿装置）が記載されている。この除湿乾燥機では、上記の冷媒回路がケーシング内に配置される。
【先行技術文献】
【特許文献】
【０００４】
【特許文献１】特許第３８０４８６６号公報
【特許文献２】特許第３８１５４８５号公報
【発明の概要】
【発明が解決しようとする課題】
【０００５】
しかしながら、特許文献１に記載された除湿乾燥機におけるように、吸着剤を再生するための再生ヒータと除湿ロータとを別々に有する除湿乾燥機では、部品点数を低減させ難い。また、循環風路および再生風路の各々を横断するようにして除湿ロータを配置すると、除湿ロータにより除湿された空気と吸着剤の再生により多湿になった空気とが混合しないように２つの風路を区分するためのシール構造が複雑になることから、装置の小型化を図り難い。さらには、再生ヒータで加熱した空気を除湿ロータに送って吸着剤を再生することから、再生ヒータで生じた熱エネルギーの一部しか吸着剤の再生に利用されず、エネルギーの無駄が多い。除湿ロータを用いず、固定した吸着剤ユニットで吸着と再生を交互に行えば、シール構造は簡素化されるが、再生ヒータと吸着剤ユニットが別に必要となる従来の構成では、構造の大幅な簡素化はできない。また、吸着剤の再生工程では、再生空気を室外に排出するため、室内に循環風を送風することができず、再生工程中は室内の被乾燥物の乾燥が促進されなくなる。
【０００６】
また、吸着剤を担持した２つの熱交換器を用いて冷媒回路を構成し、これら２つの熱交換器の各々を交互に蒸発器、凝縮器として機能させる特許文献２の除湿乾燥機では、構造が複雑であるために装置の小型化を図り難い。また、熱交換器に担持された吸着剤は、当該熱交換器が凝縮器として機能しているときに再生されるものの、再生時の温度が最高でも６０℃程度であるため、吸着剤に吸着した水分を十分に脱着させることが困難であり、吸着剤の再生効率が低い。
【０００７】
この発明は上記の事情に鑑みてなされたものであり、吸着剤の再生を効率よく行うことができると共に小型化を図り易く、また吸着剤の再生中でも、被乾燥物の乾燥を促進することのできる除湿乾燥機を得ることを目的とする。
【課題を解決するための手段】
【０００８】
この発明の除湿乾燥機は、室内の空気を吸い込むための少なくとも１つの室内空気吸込口、吸い込んだ空気を上記の室内に吹き出すための少なくとも１つの空気吹出口、および吸い込んだ空気を室外に排気するための排気口が設けられたハウジング部と、ハウジング部内に配置され、少なくとも１つの室内空気吸込口からハウジング部内に空気を吸い込んで空気吹出口および排気口の少なくとも一方から吹き出させる送風機と、ハウジング部内での室内空気吸込口と空気吹出口との間に配置された第１加熱器と、第１加熱器に担持された除湿用の吸着剤と、送風機がハウジング部内に吸い込んだ空気の風路を、第１加熱器を経由して空気吹出口から室内に吹き出すメイン風路、送風機での流路をメイン風路と共有し、第１加熱器は経由せずに空気吹出口から室内に吹き出すバイパス風路、および送風機での流路をメイン風路と共有し、第１加熱器を経由して排気口から室外に吹き出す排気風路のいずれの風路にも規定することができる風路切換部と、送風機、第１加熱器、および風路切換部の動作を制御する制御部とを備え、制御部は、室内を除湿するときには、風路切換部にメイン風路を形成させて送風機を動作させ、吸着剤から水分を脱着させて吸着剤を再生させるときには、風路切換部にバイパス風路を形成させて第１加熱器および送風機を動作させ、吸着剤の再生により吸着剤から脱着した水分を含んだ多湿空気を排気するときには、風路切換部に排気風路を形成させて送風機を動作させることを特徴とする。
【発明の効果】
【０００９】
この発明の除湿乾燥機では、第１加熱器に吸着剤を担持させているので、第１加熱器で生じた熱エネルギーの多くを吸着剤の再生に利用することができる。また、吸着剤を担持させるための部品を加熱器とは別に設ける場合に比べて部品点数が低減される。さらには、メイン風路、バイパス風路、および排気風路の各々が送風機での流路を共有するので、ハウジング部内での風路間のシール構造を比較的単純にすることができる。したがって、この発明によれば、吸着剤の再生を効率よく行うことができると共に小型化を図り易い除湿乾燥機が得られる。また、吸着剤を担持した加熱器を経由しないバイパス風路を有しており、吸着剤の再生中でもバイパス風路から空気を吹き出して被乾燥物へ風を送ることにより、室内の被乾燥物の乾燥を促進することができるので、効率のよい除湿乾燥機が得られる。
【図面の簡単な説明】
【００１０】
【図１】図１は、この発明の除湿乾燥機の一例を室内側から概略的に示す斜視図である。
【図２】図２は、図１に示した除湿乾燥機を室外側から概略的に示す斜視図である。
【図３】図３は、図１に示した除湿乾燥機の内部を室外側から概略的に示す斜視図である。
【図４】図４は、図１に示した除湿乾燥機が再生運転を行っているときの状態を室内側から概略的に示す斜視図である。
【図５】図５は、図１に示した除湿乾燥機が再生運転を行っているときの内部の状態を室外側から概略的に示す斜視図である。
【図６】図６は、図１に示した除湿乾燥機が多湿空気の排気運転を行っているときの内部の状態を室外側から概略的に示す斜視図である。
【図７】図７は、この発明の除湿乾燥機のうちで自室の空気の状態を検知するセンシング部を備えたものの一例を室内側から概略的に示す斜視図である。
【図８】図８は、この発明の除湿乾燥機のうちで第１空気吹出口からの空気の吹出し方向が可変に構成されたものの一例を室内側から概略的に示す斜視図である。
【図９】図９は、この発明の除湿乾燥機のうちで第２空気吹出口からの空気の吹出し方向が可変に構成されたものの一例を室内側から概略的に示す斜視図である。
【発明を実施するための形態】
【００１１】
以下、この発明の除湿乾燥機の実施の形態について、図面を参照して詳細に説明する。なお、この発明は以下に説明する実施の形態に限定されるものではない。
【００１２】
実施の形態１．
図１は、この発明の除湿乾燥機の一例を室外側から概略的に示す斜視図であり、図２は、図１に示した除湿乾燥機を室外側から概略的に示す斜視図であり、図３は、図１に示した除湿乾燥機の内部を室外側から概略的に示す斜視図である。これらの図に示す除湿乾燥機８０Ａは、建物内の所望の箇所、例えば浴室の天井部や壁に設置されて部屋の空気の除湿、乾燥等を行う。
【００１３】
図示の除湿乾燥機８０Ａは、部屋の空気の除湿、乾燥を行うために、ハウジング部２０、送風機２５、吸着剤（図示せず）を担持した第１加熱器３０、第１吹出口開閉部４０Ａ、第２吹出口開閉部４５Ａ、風路仕切部５５、連通口開閉部６０、排気口開閉部６５、制御部７０Ａ、およびリモートコントローラ（図示せず）を備えている。以下、除湿乾燥機８０Ａの構成部材を個別に説明する。
【００１４】
上記のハウジング部２０（図１〜図３参照）は、排気ダクト接続部５、箱状のハウジング本体１０、仕切板１３（図１参照）、加熱器保持部１５、およびバイパス風路吹出部１７を有している。ハウジング本体１０は室内側が開放された箱状を呈し、該ハウジング本体１０の側面に排気ダクト接続部５が取り付けられている。排気ダクト接続部５は、ハウジング本体１０の側面に設けられた通風口（図示せず）を通じてハウジング部２０の内部に連通する排気口５ａ（図１参照）を有しており、該排気ダクト接続部５は排気ダクトに接続される。また、ハウジング本体１０の室外側の面（上面）には、送風機２５のモータＭの回転軸を挿入するためのモータ軸挿入口（図示せず）が形成されている。
【００１５】
仕切板１３はハウジング本体１０での開放端側（室内側）に配置されてハウジング本体１０の内部を外部から区切っており、該仕切板１３には、室内の空気を吸い込むための室内空気吸込口１３ａが形成されている。また、当該仕切板１３には、加熱器保持部１５を保持するための第１保持部挿入口１３ｂ（図１参照）と、バイパス風路吹出部１７を保持するための第２保持部挿入口１３ｃ（図１参照）とが設けられている。
【００１６】
加熱器保持部１５は、第１加熱器３０を保持する筒状体であり、高さ方向の一端側を仕切板１３に固定されて第１保持部挿入口１３ｂから外部に突出している。加熱器保持部１５での自由端（突出端）側が第１空気吹出口１５ａとなる。また、バイパス風路吹出部１７も筒状体であり、高さ方向の一端側を仕切板１３に固定されて第２保持部挿入口１３ｃから外部に突出している。バイパス風路吹出部１７での自由端（突出端）側が第２空気吹出口１７ａとなる。
【００１７】
上記のバイパス風路吹出部１７には、図示を省略した第２加熱器が保持されている。ただし、風速分布を均一にするための抵抗体を第２加熱器に代えてバイパス風路吹出部１７に設けてもよいし、第２加熱器と上記の抵抗体の両方をバイパス風路吹出部１７に設けてもよい。さらには、第２加熱器および抵抗体のいずれをも省略して、バイパス風路吹出部１７には何も設けなくてもよい。第２加熱器をバイパス風路１７に設ける場合、該第２加熱器に除湿用の吸着剤を担持させることは不要である。
【００１８】
送風機２５（図１および図３参照）は片吸込式のシロッコファン送風機であり、該送風機２５での吸込口２５ａ（図１参照）が室内空気吸込口１３ａと一続きとなるようにしてハウジング部２０内に配置されている。この送風機２５の吹出口２５ｂ（図３参照）はバイパス風路吹出部１７側にあり、モータＭ（図２および図３参照）はハウジング本体１０の外部に配置されている。
【００１９】
第１加熱器３０（図１および図３参照）は、例えば、複数の発熱体を間隔をあけて配置したり、発熱体の周囲に複数の放熱フィンを設けたりすることで発熱体周囲、放熱フィン周囲に空気の流路を形成し、該流路に空気を通すことにより放熱するように構成された電気ヒータや、周囲に電気絶縁体、熱伝導体が配置された発熱体を金属パイプの中に収めた電気ヒータ等を用いて構成され、その表面にはシリカゲルやゼオライト等の吸着剤が担持されている。この第１加熱器３０は、前述した加熱器保持部１５（図１および図３参照）により保持されて、ハウジング部２０での排気口５ａ側の下部に配置されている。第１加熱器３０の過加熱を抑えるという観点から、当該第１加熱器３０としてはＰＴＣ（Positive  Temperature  Coefficient；自己温度制御性）ヒータを用いることが好ましい。
【００２０】
第１吹出口開閉部４０Ａ（図１参照）は、加熱器保持部１５での室内側端部に配置されて、該加熱器保持部１５での室内側の開口部、すなわち除湿乾燥機８０Ａでの第１空気吹出口１５ａを開閉する。図示の例では、並列配置された２枚の羽板４０ａを有する電動式のルーバにより第１吹出口開閉部４０Ａが構成されている。
【００２１】
第２吹出口開閉部４５Ａ（図１参照）は、バイパス風路吹出部１７での室内側端部に配置されて、該バイパス風路吹出部１７での室内側の開口部、すなわち除湿乾燥機８０Ａでの第２空気吹出口１７ａを開閉する。図示の例では、１枚の羽板４５ａを有する電動式のルーバにより第２吹出口開閉部４５Ａが構成されている。
【００２２】
風路仕切部５５（図３参照）は、ハウジング部２０内に配置されて、後述するメイン風路とバイパス風路と仕切る。そのために、図示の風路仕切部５５は外郭部５１および隔壁部５３を有している。上記の外郭部５１は、送風機２５に連設されて第１加熱器３０および第２加熱器（図示せず）を平面視上取り囲む。この外郭部５１には、ハウジング本体１０に形成されて排気口５ａに連通する通風口（図示せず）と重なるようにして、排気用開口部（図示せず）が形成されている。隔壁部５３は、第１空気吹出口１５ａと第２空気吹出口１７ａ（図１参照）との平面視上の間に配置されて外郭部５１内を２つの領域に区分している。隔壁部５３には、送風機２５から吹き出された空気が第２空気吹出口１７ａ側から第１空気吹出口１５ａ側に流入可能な連通口５３ａが形成されている。
【００２３】
連通口開閉部６０は、例えば電動式のダンパにより構成され、隔壁部５３に形成された上記の連通口５３ａを開閉すると共にバイパス風路吹出部１７（図１参照）を開閉する。連通口開閉部６０が連通口５３ａを全開にしているときには、バイパス風路吹出部１７が当該連通口開閉部６０により全閉にされる。一方、連通口開閉部６０が連通口５３ａを全閉にしているときには、バイパス風路吹出部１７が当該連通口開閉部６０により全開にされる。
【００２４】
排気口開閉部６５は、例えば電動式のダンパにより構成されて、排気口５ａを開閉させる。図示の除湿乾燥機８０Ａでは、風路仕切部５５の内側に排気口開閉部６５が設けられており、該排気口開閉部６５は、風路仕切部５５の外郭部５１に形成されている前述の排気用開口部を開閉することで排気口５ａを開閉する。
【００２５】
上述した第１吹出口開閉部４０Ａ、第２吹出口開閉部４５Ａ、連通口開閉部６０、および排気口開閉部６５の各々は、ハウジング部２０内での風路を後述のメイン風路、バイパ
ス風路、および排気風路のいずれにも規定することができる風路切換部を構成する。
【００２６】
制御部７０Ａは、所定の制御プログラムが格納された記憶素子（図示せず）を有し、図示を省略したリモートコントローラから入力された指令に応じて送風機２５、第１加熱器３０、第２加熱器（図示せず）、および風路切換部（第１吹出口開閉部４０Ａ、第２吹出口開閉部４５Ａ、連通口開閉部６０、および排気口開閉部６５）の動作をそれぞれ別個に制御して、除湿乾燥機８０Ａに除湿運転、吸着剤の再生運転、再生運転で生じた多湿空気の排気運転等を行わせる。
【００２７】
以下、図１〜図３に加えて図４〜図６を参照して、除湿乾燥機８０Ａでの除湿運転および再生運転について説明する。図４は、図１に示した除湿乾燥機が再生運転を行っているときの状態を室内側から概略的に示す斜視図であり、図５は、図１に示した除湿乾燥機が再生運転を行っているときの内部の状態を室外側から概略的に示す斜視図である。そして、図６は、図１に示した除湿乾燥機が多湿空気の排気運転を行っているときの内部の状態を室外側から概略的に示す斜視図である。
【００２８】
上記の除湿運転では、図１に示すように、第１吹出口開閉部４０Ａにより第１空気吹出口１５ａが開（以下、「第１吹出口開閉部４０Ａが開」という）にされると共に、第２空気吹出口１７ａが第２吹出口開閉部４５Ａによって閉（以下、「第２吹出口開閉部４５Ａが閉」という）にされる。また、図３に示すように、連通口開閉部６０により連通口５３ａが開（以下、「連通口開閉部６０が開」という）にされると共に、排気口開閉部６５により排気口５ａが閉（以下、「排気口開閉部６５が閉」という）にされる。さらには、送風機２５が起動される。第１加熱器３０および第２加熱器（図示せず）の各々へは通電されない。
【００２９】
これらの結果として、ハウジング部２０にはメイン風路ＦＰ1（図３参照）が形成される。メイン風路ＦＰ1が形成されると、除湿乾燥機８０Ａが設置されている部屋の空気が室内空気吸込口１３ａからハウジング部２０内に吸い込まれ、送風機２５、第２空気吹出口１７ａの上方、連通口５３ａ、および第１加熱器３０を経由して第１空気吹出口１５ａから上記の部屋に吹き出す。第１加熱器３０を通過する過程で、該第１加熱器３０に担持されている吸着剤に空気中の水分が吸着して、当該空気が除湿される。
【００３０】
一方、吸着剤の再生運転では、図４に示すように、第１空気吹出口１５ａが第１吹出口開閉部４０Ａによって閉（以下、「第１吹出口開閉部４０Ａが閉」という）にされると共に、第２空気吹出口１７ａが第２吹出口開閉部４５Ａによって開（以下、「第２吹出口開閉部４５Ａが開」という）にされる。また、図５に示すように、連通口開閉部６０により連通口５３ａが閉（以下、「連通口開閉部６０が閉」という）にされると共に、排気口開閉部６５が閉にされる。さらには、第１加熱器３０への通電が開始されると共に送風機２５が起動される。第２加熱器５０へは通電してもよいし、通電しなくてもよい。
【００３１】
これらの結果として、第１加熱器３０に担持されている吸着剤（図示せず）が当該第１加熱器３０により加熱されて水分が脱着し、吸着剤が再生される。吸着剤から脱着した水分を含んだ多湿空気は、第１加熱器３０の上方の空間に滞留する。また、ハウジング部２０にバイパス風路ＦＰ2（図５参照）が形成され、除湿乾燥機８０Ａが設置されている部屋の空気が室内空気吸込口１３ａからハウジング部２０内に吸い込まれ、送風機２５を経由し、第１加熱器３０は経由せずに第２空気吹出口１７ａ（図４参照）から上記の部屋に吹き出す。
【００３２】
再生運転時の第１加熱器３０の温度は、当該第１加熱器３０に担持させた吸着剤の種類に応じて適宜選定可能である。例えば、吸着剤としてシリカゲルを用いた場合には、第１
加熱器３０の温度を比較的低温（例えば６０℃〜１００℃程度）にして再生運転を行っても、当該シリカゲルから水分を十分に脱着させることができる。一方、吸着剤としてゼオライトを用いた場合、ゼオライトは室内や室内にある被乾燥物を乾燥させるのに適した吸着剤ではあるが、一旦吸着した水分を脱着させるためにはシリカゲルを再生させるときよりも高温に加熱することが必要であるので、再生運転時の第１加熱器３０の温度を比較的高温にすることが好ましい。
【００３３】
多湿空気の排気運転は、上述した再生運転に続けて行われる。この排気運転では、第１吹出口開閉部４０Ａおよび第２吹出口開閉部４５Ａ（図１および図４参照）の各々が閉にされる。また、図６に示すように、連通口開閉部６０が開（全開）にされると共に排気口開閉部６５が開にされる。さらには、送風機２５が起動される。第１加熱器３０および第２加熱器５０（図４および図５参照）の各々へは通電されない。
【００３４】
これらの結果として、ハウジング部２０には排気風路ＦＰ3（図６参照）が形成される。排気風路ＦＰ3が形成されると、除湿乾燥機８０Ａが設置されている部屋の空気が室内空気吸込口１３ａからハウジング部２０内に吸い込まれ、送風機２５、第２空気吹出口１７ａの上方、連通口５３ａ、第１加熱器３０とその上方、風路仕切部５５の排気用開口部５１ａ、ハウジング本体１０の通風口１０ｂ（図６参照）を経由して排気口５ａから室外に吹き出す。第１加熱器３０の上方の空間に滞留している前述の多湿空気は、室内空気吸込口１３ａから吸い込まれた空気と共に風路仕切部５５の排気用開口部５１ａ、ハウジング本体１０の通風口１０ｂ、および排気口５ａを通って室外に排気される。このとき、第１空気吹出口１５ａおよび第２空気吹出口１７ａの各々からの空気の吹き出しは実質的にない。排気運転の１回当たりの継続時間は、短時間でよい。
【００３５】
上述のようにして除湿運転、吸着剤の再生運転、および多湿空気の排気運転を行う除湿乾燥機８０Ａでは、吸着剤が第１加熱器３０に担持されているので、第１加熱器３０で生じた熱エネルギーの多くを吸着剤の再生に利用することができる。また、再生運転時に連通口開閉部６０を閉（全閉）にするので、当該再生運転の間、第１加熱器３０の周辺での気流の発生が抑えられて放熱に起因する第１加熱器３０の温度低下が防止される。さらには、吸着剤から脱着した水分が水蒸気となって第１加熱器３０の上方の空間に滞留するので、水蒸気が第１加熱器３０の近傍に滞留して吸着剤からの水分の脱着を妨げるということも起こり難い。
【００３６】
これらの理由から、除湿乾燥機８０Ａでは、第１加熱器３０への投入電力量を比較的少なくしても吸着剤を十分に加熱して該吸着剤から水分を脱着させることができる。吸着剤の再生を効率よく行うことができる。例えばゼオライトのように低湿度環境下でも高い吸着能を有する吸着剤を第１加熱器３０に担持させた場合、このような吸着剤を十分に再生させるためには高温での加熱が必要となるが、除湿乾燥機８０Ａでは第１加熱器３０への投入電力量を比較的少なくしても吸着剤を十分に加熱することができるので、吸着剤としてゼオライトを用いた場合でもエネルギー消費量を削減し易い。
【００３７】
また、吸着剤を担持するための部品を第１加熱器３０とは別の部品とする場合に比べて部品点数が低減される。そして、メイン風路ＦＰ1、バイパス風路ＦＰ2、および排気風路ＦＰ3の各々が送風機２５での流路を共有するので、ハウジング部２０内での風路間のシール構造を比較的単純にすることができる。
【００３８】
したがって、除湿乾燥機８０Ａでは、吸着剤の再生を効率よく行うことができると共に小型化を図り易い。吸着剤の再生の高効率化はエネルギー消費量の削減につながり、部品点数の低減は廃棄のために除湿乾燥機８０Ａを分解する際の作業性、および分解した後に材料を分別する際の作業性の向上につながる。また、除湿乾燥機８０Ａの小型化は梱包時
の包装の減量化や、流通の際の輸送の効率化、廃棄時の回収および運搬性の向上、廃棄時の環境負荷の低減につながる。
【００３９】
また、除湿乾燥機８０Ａでは、再生運転中も部屋の空気が室内空気吸込口１３ａからバイパス風路ＦＰ2を通って第２空気吹出口１７ａ（図１参照）から上記の部屋に吹き出すので、上記の部屋に残っている水分や、部屋干しした洗濯物等の被乾燥物からの水分の蒸発を再生運転中においても促すことができる。そのため、部屋の乾燥、除湿を効率よく行うことができ、被乾燥物の乾燥を促進することができる。再生運転時に第２加熱器５０に通電すれば、該第２加熱器５０で生じた熱が上記の部屋に投入されて部屋の乾燥、除湿が更に効率よく行われるので、被乾燥物の乾燥を更に促進することができる。排気運転時に連通口５３ａおよびバイパス風路吹出部１７の各々が部分的に開となるように制御部７０Ａが連通口開閉部６０の開度を制御すると共に、排気口５ａが開くように制御部７０Ａが排気口開閉部６５の開度を制御する構成にすると、再生運転で生じた多湿空気の排気、部屋の空気の循環を一時に行うことができるようになるので、部屋に被乾燥物があるときには該被乾燥物の乾燥を更に促進させることが可能になる。
【００４０】
なお、再生運転および該再生運転に続く排気運転それぞれの実施時期は、適宜選定可能である。例えば、除湿運転を長時間行って吸着剤の吸着能が大幅に低下してから再生運転および排気運転を行ってもよいし、除湿運転を比較的短時間行って吸着剤の吸着能がそれ程低下していないときに再生運転および排気運転を行ってもよい。また、設置スペースが狭い等の理由から第１加熱器３０として大形のものを用いることができない場合には、小型の加熱器を用いてもよい。第１加熱器３０として小型のものを用いる場合には、該第１加熱器３０に担持可能な吸着剤の量も少なくなるため水分の吸着、除湿の速度が遅くなるが、除湿と再生とを短いサイクルで繰り返すことにより、時間はかかるものの所望の除湿量を確保することができるので、除湿乾燥機８０Ａの小型化を図り易くなる。
【００４１】
再生運転時には、第１吹出口開閉部４０Ａを開にしておくこともできる。第１吹出口開閉部４０Ａを開にして再生運転を行った場合でも、連通口開閉部６０が閉にされているため、第１加熱器３０の周辺での過度の気流を抑えた状態で、吸着剤から水分を脱着させることができる。このとき、脱着した水分は空気の自然対流で上昇して加熱器３０の上方の空間に滞留する。滞留した水分は、再生運転中常にまたは一時的に排気口開閉部６５を開にして排気口５ａに導いてもよい。
【００４２】
また、除湿乾燥機８０Ａには、該除湿乾燥機８０Ａが設置されている部屋の暖房運転、換気運転、乾燥運転等を行わせることもできる。上記の部屋の暖房運転は、第１加熱器３０に通電するという点を除き、上述した除湿運転と同様にメイン風路ＦＰ1を形成して行われる。除湿乾燥機８０Ａが第２加熱器５０を備えている場合には、第１加熱器３０および第２加熱器５０の少なくとも一方に通電し、第１加熱器３０に通電するときにはメイン風路ＦＰ1を形成して送風機２５を起動させ、第２加熱器５０に通電するときにはバイパス風路ＦＰ2を形成して送風機２５を起動させることによっても、暖房運転を行うことができる。勿論、第１加熱器３０および第２加熱器５０の両方に通電すると共にメイン風路ＦＰ1とバイパス風路ＦＰ2の両方を形成して送風機２５を起動させることによっても、暖房運転を行うことができる。
【００４３】
除湿乾燥機８０Ａが設置されている部屋の換気運転は、排気運転と同様にして行うことができる。このとき、第１吹出口開閉部４０Ａおよび第２吹出口開閉部４５Ａの少なくとも一方を開にしてもよい。第１吹出口開閉部４０Ａを開にして換気運転をするときには、第１加熱器３０に通電してもよい。また、除湿乾燥機８０Ａが第２加熱器５０を備えており、かつ第２吹出口開閉部４５Ａを開にして換気運転をするときには、第２加熱器５０に通電してもよい。
【００４４】
除湿乾燥機８０Ａが設置されている部屋の乾燥運転は、排気口開閉部６５を開にするという点を除き、暖房運転と同様にして行うことができる。乾燥運転時には、少なくともメイン風路ＦＰ1と排気風路ＦＰ3とが風路切換部により形成される。これらの風路ＦＰ1，ＦＰ3に加えてバイパス風路ＦＰ2も乾燥運転時に形成されるように除湿乾燥機８０Ａを構成することもできる。例えば除湿乾燥機８０Ａを浴室に設置して乾燥運転を行わせれば、温風を吹き出しながら換気を行って浴室や衣類の乾燥を行う従来型の温風乾燥機として当該除湿乾燥機８０Ａを利用することもできる。
【００４５】
実施の形態２．
この発明の除湿乾燥機では、第１加熱器の温度を温度センサで検知し、該検知温度に応じて第１加熱器への投入電力量を制御部が制御するように構成することもできる。このような除湿乾燥機は、例えば、上記温度センサの有無および再生運転時における制御部の制御内容（第１加熱器への投入電力量に係る制御）をそれぞれ除き、実施の形態１で説明した除湿乾燥機８０Ａ（図１〜図６参照）と同様にして構成することができるので、ここではその図示を省略する。
【００４６】
上記の温度センサを備えた除湿乾燥機では、再生運転時に制御部が当該温度センサの検知温度を監視し、該検知温度が予め設定された温度（以下、「第１条件値」という）に達すると制御部が第１加熱器への投入電力量を少なくするか、または第１加熱器への通電を停止するように構成される。第１条件値は、吸着剤から水分を十分に脱着させることができる温度であり、第１加熱器に担持させた吸着剤（図示せず）の種類および量に応じて除湿乾燥機のメーカにより設定されて、例えば制御部中の記憶素子（図示せず）に予め格納される。制御部は、温度センサの検知温度が第１条件値以上になったときに第１加熱器への投入電力量を少なくして、第１加熱器の温度を予め定められた時間に亘って第１条件値またはその近傍の温度に維持させるか、第１加熱器への投入電力量を漸次減少させて第１加熱器の温度を漸次低下させるか、または、第１加熱器への通電を停止して第１加熱器を自然冷却させる。
【００４７】
このように構成された除湿乾燥機では、再生運転時に吸着剤を必要以上に加熱するということが抑えられるので、無駄なエネルギー消費が抑えられる。第１加熱器としては種々のタイプのものを用いることができるが、実施の形態１で説明したＰＴＣヒータを用いると、当該第１加熱器の過加熱を防止して無駄なエネルギー消費を抑え易くなる。
【００４８】
実施の形態３．
この発明の除湿乾燥機では、該除湿乾燥機が設置されている部屋（自室）の空気の状態、具体的には湿度や温度を検知して、除湿運転時および再生運転時の少なくとも一方での制御内容を制御部が選定するように構成することもできる。このように除湿乾燥機を構成する場合、自室の空気の状態を検知するためのセンシング部が例えば室内空気吸込口の近傍に配置される。
【００４９】
図７は、自室の空気の状態を検知するセンシング部を備えた除湿乾燥機の一例を室内側から概略的に示す斜視図である。同図に示す除湿乾燥機８０Ｂでは、該除湿乾燥機８０Ｂが設置されている部屋（自室）の空気の湿度や温度を検知するためのセンシング部７３が室内空気吸込口１３ａの近傍に配置されている。制御部７０Ｂは、センシング部７３の検知結果に応じて、除湿運転時および再生運転時の少なくとも一方での制御内容を選定して、送風機２５および第１加熱器３０の動作を制御する。
【００５０】
この除湿乾燥機８０Ｂの構成は、センシング部７３を有しているという点と、除湿運転および再生運転の少なくとも一方を行うにあたって制御部７０Ｂがセンシング部７３の検
知結果に応じて制御内容を選定するという点とをそれぞれ除き、例えば実施の形態１で説明した除湿乾燥機８０Ａと同じ構成にすることができる。図７に示したセンシング部７３以外の構成部材については、図１で用いた参照符号と同じ参照符号を付してその説明を省略する。
【００５１】
例えば、自室の湿度が高い場合には、第１加熱器３０に担持されている吸着剤（図示せず）での単位時間当たりの水分の吸着量が多くなるので、除湿運転の時間を短くしても吸着剤での水分の吸着量が多くなる。そして、吸着剤での水分の吸着量が多ければ、再生運転で吸着剤から水分を脱着させるのに要する熱エネルギーも多くなる。一方、自室の湿度が低い場合には、上記吸着剤での単位時間当たりの水分の吸着量が少なくなる。そして、吸着剤での水分の吸着量が少なければ、再生運転で吸着剤から水分を脱着させるのに要する熱エネルギーも少なくなる。
【００５２】
したがって、湿度センサにより上述のセンシング部７３を構成した場合、制御部７０Ｂは、予め定められた第２条件値以上の湿度（相対湿度）が除湿運転時にセンシング部７３（湿度センサ）によって検知されると、センシング部７３の検知結果が第２条件値未満であるときに比べて１回の除湿運転の継続時間に対する１回の再生運転の継続時間を相対的に長くするか、または再生運転時に第１加熱器３０に投入する電力量を多くする。
【００５３】
上記の第２条件値は、除湿乾燥機８０Ｂのメーカにより定められて、例えば制御部７０Ｂ中の記憶素子（図示せず）に予め格納される。この第２条件値は、１つのみであってもよいし、互いに異なる値の２つ以上であってもよい。また、センシング部７３の検知結果が該第２条件値以上になったとき、および第２条件値未満であるときのそれぞれについて、１回の除湿運転の継続時間、１回の再生運転の継続時間、再生運転時における第１加熱器３０への投入電力量等が除湿乾燥機８０Ｂのメーカにより条件値毎に定められ、これらをテーブル管理等の方法で管理するためのデータが上記の記憶素子に予め格納される。
【００５４】
制御部７０Ｂは、記憶素子に格納されている上記の第２条件値およびデータの各々とセンシング部７３の検知結果とを用いて、除湿運転時および再生運転時の少なくとも一方での制御内容、具体的には送風機２５の動作内容および第１加熱器３０の動作内容を選定し、該選定した制御内容の下に送風機２５、第１加熱器３０を動作させる。センシング部７３の検知結果に応じて除湿運転時および再生運転時の一方での制御内容のみを制御部７０Ｂが選定するように除湿乾燥機８０Ｂを構成する場合には、他方の制御内容はセンシング部７３の検知結果に拘わらず、例えば除湿乾燥機８０Ｂのメーカが予め設定した制御内容となる。
【００５５】
制御部７０Ｂの制御の下に除湿運転、再生運転、および排気運転を繰り返し行う場合は、温度センサによりセンシング部７３を構成することができる。この場合、排気運転後の除湿運転の際に第１加熱器３０の余熱が室内に投入されて室内の温度が被乾燥物の乾燥の度合いや湿度に応じて漸次上昇するので、センシング部７３（温度センサ）の検知結果に基づいて当該温度上昇の度合いを制御部７０Ｂが演算し、その結果に基づいて除湿運転時および再生運転時の少なくとも一方での制御内容を選定するように除湿乾燥機８０Ｂを構成することができる。
【００５６】
すなわち、上記温度上昇の度合いが第３条件値未満であれば室内の被乾燥物の乾燥の度合いが低く、湿度が高いと考えられ、上記温度上昇の度合いが第３条件値以上であれば室内の被乾燥物の乾燥の度合いが高く、湿度が低いと考えられるので、例えば湿度センサによりセンシング部７３を構成した場合と同様にして、センシング部７３（温度センサ）の検知結果に応じて除湿運転時および再生運転時の少なくとも一方での制御内容を制御部７０Ｂが選定するように除湿乾燥機８０Ｂを構成することができる。なお、上記の第３条件
値は、除湿乾燥機８０Ｂのメーカにより定められて、例えば制御部７０Ｂ中の記憶素子（図示せず）に予め格納される。この第３条件値は、１つのみであってもよいし、互いに異なる値の２つ以上であってもよい。
【００５７】
湿度センサと温度センサとによりセンシング部７３を構成した場合には、これらのセンサの検知結果から制御部７０Ｂが室内の絶対湿度を求め、該絶対湿度に応じて制御部７０Ｂが除湿運転時および再生運転時の少なくとも一方での制御内容を選定するように除湿乾燥機８０Ｂを構成することができる。この場合、湿度センサの検知結果と温度センサの検知結果とから絶対湿度を求めるためのデータが、例えば制御部７０Ｂ中の記憶素子（図示せず）に予め格納される。制御内容の選定は、湿度センサのみによりセンシング部７３を構成した場合と同様にして行うことができる。
【００５８】
上述のように構成された除湿乾燥機８０Ｂでは、自室の空気の状態に応じて除湿運転時および再生運転時の少なくとも一方の運転条件が適切な条件にされるので、無駄なエネルギー消費を抑えることができる。相対湿度が同じ値であっても空気中の単位体積当たりの水分量は温度に応じて異なり、結果として吸着剤での水分の吸着量も変化するので、無駄なエネルギー消費を抑えるという観点からは、湿度センサと温度センサとによりセンシング部７３を構成し、これらのセンサの検知結果から求まる自室の絶対湿度に応じて制御部７０Ｂが除湿運転時および再生運転時の少なくとも一方での制御内容を選定するように除湿乾燥機８０Ｂを構成することが好ましい。
【００５９】
実施の形態４．
この発明の除湿乾燥機では、空気吹出口からの空気の吹出し方向を可変に構成することができる。例えば電動式のルーバを用いて第１吹出口開閉部や第２吹出口開閉部を構成する場合には、当該ルーバの開度を制御部によって連続的または段階的に変化させることができるように構成することで、第１空気吹出口や第２空気吹出口からの空気の吹出し方向が可変の除湿乾燥機が得られる。また、複数枚の羽板が縦横に配置された電動式のルーバを用いて第１吹出口開閉部や第２吹出口開閉部を構成することでも、第１空気吹出口や第２空気吹出口からの空気の吹出し方向が可変の除湿乾燥機が得られる。
【００６０】
図８は、第１空気吹出口からの空気の吹出し方向が可変に構成された除湿乾燥機の一例を室内側から概略的に示す斜視図である。同図に示す除湿乾燥機８０Ｃは、図１に示した第１吹出口開閉部４０Ａに代えて第１吹出口開閉部４０Ｂを備えているという点、および制御部７０Ａに代えて制御部７０Ｃを備えているという点をそれぞれ除き、図１に示した除湿乾燥機８０Ａと同様の構成を有している。図８に示す構成部材のうちで図１に示した構成部材と共通するものについては、図１で用いた参照符号と同じ参照符号を付してその説明を省略する。
【００６１】
上記の第１吹出口開閉部４０Ｂは、２枚の羽板４０ａと、平面視したときに羽板４０ａと交差する向き、具体的には直行する向きに並列配置された４枚の羽板４０ｂとを有する電動式のルーバを用いて構成されている。制御部７０Ｃは、各羽板４０ａ，４０ｂの開度を連続的または段階的に制御可能である。したがって、除湿乾燥機８０Ｃでは、第１空気吹出口１５ａからの空気の吹出し方向が可変である。
【００６２】
図９は、第２空気吹出口からの空気の吹出し方向が可変に構成された除湿乾燥機の一例を室内側から概略的に示す斜視図である。同図に示す除湿乾燥機８０Ｄは、図１に示した第２吹出口開閉部４５Ａに代えて第２吹出口開閉部４５Ｂを備えているという点、および制御部７０Ａに代えて制御部７０Ｄを備えているという点をそれぞれ除き、図１に示した除湿乾燥機８０Ａと同様の構成を有している。図９に示す構成部材のうちで図１に示した構成部材と共通するものについては、図１で用いた参照符号と同じ参照符号を付してその
説明を省略する。
【００６３】
上記の第２吹出口開閉部４５Ｂは、１枚の羽板４５ａと、平面視したときに羽板４５ａと交差する向き、具体的には直行する向きに並列配置された４枚の羽板４５ｂとを有する電動式のルーバを用いて構成されている。制御部７０Ｄは、各羽板４５ａ，４５ｂの開度を連続的または段階的に制御可能である。したがって、除湿乾燥機８０Ｄでは、第２空気吹出口１７ａからの空気の吹出し方向が可変である。
【００６４】
上述のように構成された除湿乾燥機８０Ｃ，８０Ｄでは、例えば当該除湿乾燥機８０Ｃ，８０Ｄが設置された部屋に被乾燥物があるときに、第１空気吹出口１５ａまたは第２空気吹出口１７ａからの空気の吹出し方向を連続的または段階的に変化させて空気を被乾燥物に満遍なく当てることで、該被乾燥物に乾燥ムラが生じるのを抑えることができる。
【００６５】
実施の形態５．
この発明の除湿乾燥機では、吸着剤から水分を脱着させることで生じた多湿空気を他室の加湿に利用することができるよう構成することもできる。このような除湿乾燥機は、例えば、実施の形態１〜４で説明した各除湿乾燥機での排気ダクト接続部に他室用の給気ダクトを接続し、再生運転で生じた多湿空気を排気運転時に排気口から上記の給気ダクトに流すようにすることで得られる。
【００６６】
また、他室に多湿空気を供給するための多湿空気吹出口を有する他室用給気ダクト接続部をハウジング部に付加すると共に、前記メイン風路と前記多湿空気吹出口とを互いに連通した状態と互いに分離した状態とに切り換えることができる多湿空気用風路開閉部を風路仕切部に設け、他室への多湿空気の給気と排気口からの多湿空気の排気とのいずれか一方、または両方をユーザがリモートコントローラから一時に選択可能に構成することでも得られる。
【００６７】
このとき、多湿空気用風路開閉部と排気口開閉部とは、互いに別個の部材とすることができる。また、多湿空気吹出口と排気口とを互いに近接させて設けた場合には、ダンパ等により構成された１つの風路開閉部により多湿空気吹出口と排気口とを開閉させることが可能になるので、１つの風路開閉部により多湿空気用風路開閉部と排気口開閉部とを構成することもできる。多湿空気吹出口の有無、多湿空気用風路開閉部の有無、および多湿空気排気時の制御部の制御内容をそれぞれ除いた残りの構成は、例えば実施の形態１〜４で説明した除湿乾燥機での構成と同様の構成とすることができる。
【００６８】
上述のように構成された除湿乾燥機では、再生運転時で生じた多湿空気を他室の加湿に利用可能であるので、エネルギーを有効利用し易くなる。
【００６９】
以上、この発明の除湿乾燥機について実施の形態を挙げて説明したが、前述のように、この発明は上記の形態に限定されるものではない。この発明の除湿乾燥機は、部屋の空気を除湿するためのメイン風路、吸着剤の再生中に部屋の空気を循環させるためのバイパス風路、および吸着剤の再生で生じた多湿空気を排出するための排気風路をハウジング部内に規定することができ、かつ当該メイン風路、バイパス風路、および排気風路の各々が送風機での流路を共有するものであれば基本的によく、その構成は適宜選定可能である。
【００７０】
例えば、室内空気吸込口および空気吹出口それぞれの数は適宜選定可能である。メイン風路とバイパス風路とが１つの室内空気吸込口を共有するように除湿乾燥機を構成することもできるし、互いに別個の室内空気吸込口を有するように除湿乾燥機を構成することもできる。同様に、メイン風路とバイパス風路とが互いに別個の空気吹出口を有するように除湿乾燥機を構成することもできるし、１つの空気吹出口を共有するように除湿乾燥機を
構成することもできる。例えば、図１〜図６に示した除湿乾燥機８０Ａでの室内空気吸込口１３ａと送風機２５の吸込口２５ａとの間に所望長の流路を形成し、この流路側に排気口５ａを設けて該排気口５ａを排気口開閉部６５で開閉するように構成すれば、除湿乾燥機８０Ａでの室内空気吸込口１３ａを空気吹出口とし、第１空気吹出口１５ａをメイン風路での室内空気吸込口とし、第２空気吹出口１７ａをバイパス風路での室内空気吸込口とすることが可能になる。
【００７１】
また、第１加熱器は、送風機の下流側および上流側のいずれにも配置可能である。風路切換部は、空気吹出口を開閉する吹出口開閉部と排気口を開閉する排気口開閉部の計２種類の開閉部により構成することもできる。これら２種類の開閉部により風路切換部を構成する場合には、実施の形態で説明した風路仕切部および連通口開閉部の各々を省略することができる。風路仕切部および連通口開閉部を用いて風路切換部を構成する場合には、バイパス風路での空気吹出口を開閉する吹出口開閉部を省略することも可能である。この発明の除湿乾燥装置については、上述した以外にも様々な変形、装飾、組み合わせ等が可能である。
【産業上の利用可能性】
【００７２】
この発明の除湿乾燥機は、室内の空気の除湿、乾燥を行う家庭用または業務用の除湿乾燥機として用いることができる。
【符号の説明】
【００７３】
５ａ  排気口
１０  ハウジング本体
１３  仕切板
１３ａ  室内空気吸込口
１５  加熱器保持部
１５ａ  第１空気吹出口
１７  バイパス風路吹出部
１７ａ  第２空気吹出口
２０  ハウジング部
２５  送風機
２５ａ  吸込口
２５ｂ  吹出口
３０  第１加熱器
４０Ａ，４０Ｂ  第１吹出口開閉部
４０ａ，４０ｂ  羽板
４５Ａ，４５Ｂ  第２吹出口開閉部
４５ａ，４５ｂ  羽板
５０  第２加熱器
５１  外郭部
５１ａ  排気用開口部
５３  隔壁部
５３ａ  連通口
５５  風路仕切部
６０  連通口開閉部
６５  排気口開閉部
７０Ａ，７０Ｂ，７０Ｃ，７０Ｄ  制御部
７３  センシング部
８０Ａ，８０Ｂ，８０Ｃ，８０Ｄ  除湿乾燥機
ＦＰ1  メイン風路
ＦＰ2  バイパス風路
ＦＰ3  排気風路
【図１】
2010261668.tif 000003
【図２】
2010261668.tif 000004
【図３】
2010261668.tif 000005
【図４】
2010261668.tif 000006
【図５】
2010261668.tif 000007
【図６】
2010261668.tif 000008
【図７】
2010261668.tif 000009
【図８】
2010261668.tif 000010
【図９】
2010261668.tif 000011